(57)【要約】【課題】  ヘッドホンにより、サラウンド再生、フロント再生および通常のヘッドホン再生を行う場合に、その仮想音源の位置および再生モードが容易にわかるようにする。【解決手段】  複数チャンネルのオーディオ信号により形成される音像を、複数の仮想音源位置のどれかに定位させるように信号処理を行うＤＳＰ１７と、このＤＳＰ１７によって処理された信号をヘッドホン９０に入力するためのＤ／Ａコンバータ１８Ｌ、１８Ｒとを設ける。ＤＳＰ１７によって処理された信号により形成される仮想音源位置を切り換える仮想音源位置切換手段１７、４２と、この仮想音源位置切換手段１７、４２により切り換えられた複数の仮想音源位置と、リスナの位置との関係を連動させて表示する位置表示手段ＤLF〜ＤRB、ＤLH、ＤRHとを設ける。【選択図】  図１
2006333516.tif 000002
【特許請求の範囲】
【請求項１】
２チャンネルまたは複数チャンネルのオーディオ信号についてデジタル信号処理を行い、当該信号処理を行った信号をヘッドホンに入力することによって複数の仮想音源位置の仮想音像を切り換えて定位させるヘッドホンアンプであって、
上記２チャンネルまたは複数チャンネルのオーディオ信号を複数の上記仮想音源位置に上記仮想音像を定位させるように複数の信号処理を行う仮想音像信号処理手段と、
上記仮想音像信号処理手段によって処理されたデジタル信号を上記ヘッドホンに入力するための２チャンネルのアナログオーディオ信号に変換するＤ／Ａ変換手段と、
上記仮想音像信号処理手段によって信号処理された信号に基づいてリスナが上記ヘッドホンで再生した場合の定位させる上記仮想音源位置の仮想音像を切り換える仮想音源位置切換手段と、
上記仮想音源位置切換手段によって切り換えられた複数の上記仮想音源位置と上記ヘッドホン再生の上記リスナの位置関係を連動させて同時に一つの表示部に表示する位置表示手段と
を備えることを特徴とするヘッドホンアンプ。
【請求項２】
請求項１に記載のヘッドホンアンプにおいて、
上記複数の仮想音場位置は、上記リスナの上記ヘッドホンを中心として左前方、中央前方、右前方、左後方、右後方に定位させる第１モードと、上記リスナの上記ヘッドホンを中心として左前方、右前方に定位させる第２のモードと、リスナの周囲に定位させる第３のモードである
ことを特徴とするヘッドホンアンプ。
【請求項３】
請求項１に記載のヘッドホンアンプにおいて、
上記表示手段に表示された仮想位置を上記仮想位置切換手段と連動して、光源の点灯で表示する
ことを特徴とするヘッドホンアンプ。
【請求項４】
請求項２に記載のヘッドホンアンプ。
上記表示手段に表示する上記リスナの位置をキャラクタで表示する
ことを特徴とするヘッドホンアンプ。
【発明の詳細な説明】
【技術分野】
【０００１】
この発明は、ヘッドホンアンプに関する。
【背景技術】
【０００２】
映画などの映像に伴うオーディオ信号は、多チャンネルステレオ化され、リスナの左前方、中央前方、右前方、左後方および右後方にそれぞれ配置されたスピーカにより再生することを想定した信号とされている。したがって、このオーディオ信号によると、映像中の音源と、実際に聞こえてくる音像の位置とが一致し、さらにリスナの周囲に自然な広がりを持った音場が確立される。
【０００３】
しかし、このようなオーディオ信号もヘッドホンを使用して鑑賞すると、音像は頭の中に定位し、極めて不自然な音像の定位となってしまう。
【０００４】
そこで、それぞれのスピーカからリスナの両耳までの伝達関数をシミュレートし、これをデジタルフィルタなどによりオーディオ信号に合成した後、ヘッドホンにより聴取するという方法が考えられている。
【０００５】
この方法によれば、音像は頭外に定位するとともに、音場はリスナの周囲に広がりを持って形成されるようになり、スピーカ再生の場合と同等の音場を再現することができる（以下、これを「サラウンド再生」と呼ぶ）。
【０００６】
また、オーディオ信号が２チャンネルのステレオ信号であっても、同様の処理を行うことにより、音像は頭外に定位し、リスナの左右前方に配置された２チャンネルのスピーカから再生されているかのように再生することができる（以下、これを「フロント再生」と呼ぶ）。
【０００７】
図６は、サラウンド再生およびフロント再生の処理を行うようにしたヘッドホンアンプの前面パネルの一例を示す。そして、サウンドモードスイッチＳSMがノンロックタイプのプッシュスイッチにより構成され、このモードスイッチＳSMを押すごとに、再生モードが、
サラウンド再生モード→フロント再生モードード→処理なし→サラウンド再生モード→フロント再生モード→…
のように、順に繰り返し切り換わる。なお、「処理なし」は、通常のヘッドホン再生である。
【０００８】
また、操作パネルには、各再生モードを示す文字「Surround」、「Front」、「OFF」が例えば刻印されるとともに、その文字の前にＬＥＤ（Ｄ1〜Ｄ3）が設けられ、これらＬＥＤ（Ｄ1〜Ｄ3）の点灯により再生モードが示される。
【０００９】
したがって、このヘッドホンアンプによれば、リスナは好みの再生モードで、あるいはオーディオ信号の内容に見合った最適な再生モードで音楽などを聴くことができる。
【００１０】
なお、先行技術文献として例えば以下のものがある。
【特許文献１】特開平２−１８５２００号公報
【発明の開示】
【発明が解決しようとする課題】
【００１１】
ところが、図６に示すような操作パネルの表示方法では、再生モードごとの聴感上の微妙な効果の違いを的確に表現することが、非常に困難である。すなわち、再生モードごとの聴感上の効果は、文章ではなんとでも表現できるが、これを、ヘッドホンアンプの前面パネルのような限られたスペースに、リスナ（ユーザ）がイメージしやすく、しかも、簡潔な単語あるいは熟語で的確に表現することは、困難である。
【００１２】
この発明は、このような問題点を解決しようとするものである。
【課題を解決するための手段】
【００１３】
この発明においては、
２チャンネルまたは複数チャンネルのオーディオ信号についてデジタル信号処理を行い、当該信号処理を行った信号をヘッドホンに入力することによって複数の仮想音源位置の仮想音像を切り換えて定位させるヘッドホンアンプであって、
上記２チャンネルまたは複数チャンネルのオーディオ信号を複数の上記仮想音源位置に上記仮想音像を定位させるように複数の信号処理を行う仮想音像信号処理手段と、
上記仮想音像信号処理手段によって処理されたデジタル信号を上記ヘッドホンに入力するための２チャンネルのアナログオーディオ信号に変換するＤ／Ａ変換手段と、
上記仮想音像信号処理手段によって信号処理された信号に基づいてリスナが上記ヘッドホンで再生した場合の定位させる上記仮想音源位置の仮想音像を切り換える仮想音源位置切換手段と、
上記仮想音源位置切換手段によって切り換えられた複数の上記仮想音源位置と上記ヘッドホン再生の上記リスナの位置関係を連動させて同時に一つの表示部に表示する位置表示手段と
を備えることを特徴とするヘッドホンアンプ
とするものである。
【発明の効果】
【００１４】
この発明によれば、サラウンド再生、フロント再生およびヘッドホン再生の状態が視覚的に、かつ、仮想的なスピーカの位置あるいは音源の位置により表示されるので、聴感上の効果を視覚的にイメージすることができる。また、デザイン面の向上を得ることもできる。
【発明を実施するための最良の形態】
【００１５】
まず、ヘッドホンアンプの信号系の一例について、図１により説明する。なお、この例においては、入力信号が、２チャンネルステレオのアナログオーディオ信号、あるいはデジタルオーディオ信号の場合である。そして、そのデジタルオーディオ信号は、
(1) ＣＤプレーヤなどから得られるＥＩＡＪ制定のフォーマットによる２チャンネルステレオのデジタルオーディオ信号。  
(2) ＤＶＤプレーヤなどから得られるドルビーデジタルあるいはＭＰＥＧ２の５チャンネルのデジタルオーディオ信号。  
(3) ＤＶＤプレーヤなどから得られるドルビーデジタルの疑似５チャンネルのデジタルオーディオ信号（ドルビープロロジック（登録商標）で再生される２チャンネルのデジタルオーディオ信号）。  
の場合であり、また、光信号の状態で供給されるものとする。
【００１６】
そして、２チャンネルステレオのアナログオーディオ信号が、アナログ入力ジャック（入力コネクタ）１１Ｌ、１１Ｒを通じてＡ／Ｄコンバータ１２に供給されてデジタルオーディオ信号にＡ／Ｄ変換され、この信号が入力セレクタ１５に供給される。また、上記(1)〜(3)項のデジタルオーディオ信号が、光コネクタ１３に供給されて電気信号に変換されてからデジタルオーディオインターフェイス１４を通じて入力セレクタ１５に供給される。
【００１７】
そして、入力セレクタ１５において、これに供給されたデジタルオーディオ信号の一方が選択され、その選択された信号がサラウンドデコーダ１６に供給される。このデコーダ１６においては、これに供給された信号が、リスナの左前方、中央前方、右前方、左後方、右後方に配置されたスピーカに対応するデジタルオーディオデータにデコードされ、あるいはそのままのデジタルオーディオデータとされる。
【００１８】
そして、デコーダ１６からのデジタルオーディオデータがＤＳＰ１７に供給されて、上述したヘッドホンにおいてサラウンド再生、フロント再生あるいは通常のヘッドホン再生（処理なし）のための処理が行われる。
【００１９】
この場合、その処理方法として、例えば、本出願人が出願した「特願平９−２０８９２７号」における方法を使用することができる。すなわち、入力信号が多チャンネルステレオのデジタルオーディオデータのときには、
(A) そのデジタルオーディオデータを２チャンネルのデジタルオーディオデータに変換するとともに、この２チャンネルのデジタルオーディオデータからＤ／Ａ変換されたアナログオーディオ信号をリスナの左前方および右前方に配置した２つのスピーカに供給したとき、もとの多チャンネルのアナログオーディオ信号をリスナの左前方、中央前方、右前方、左後方、右後方に配置したスピーカに供給したときに得られる再生音場と同等の再生音場が形成されるように、２チャンネルのデジタルオーディオデータに変換する。
【００２０】
(B) (A)項の処理に続いて、その２チャンネルのデジタルオーディオデータからＤ／Ａ変換されたアナログオーディオ信号をヘッドホンに供給したとき、そのアナログオーディオ信号をリスナの左前方および右前方に配置した２つのスピーカに供給しときに得られる再生音場と同等の再生音場が形成されるように、２チャンネルのオーディオデータに変換する。
【００２１】
さらに、入力信号が２チャンネルステレオのデジタルオーディオデータのときには、上記(B)項の変換処理だけを行う。
【００２２】
以上の処理がＤＳＰ１７において実行され、ＤＳＰ１７からは、スピーカ再生時と同等の再生音場の得られる２チャンネルのデジタルオーディオデータＬV、ＲV、すなわち、仮想スピーカを実現するデジタルオーディオデータＬV、ＲVが出力される。
【００２３】
そして、これらデータＬV、ＲVがＤ／Ａコンバータ１８Ｌ、１８Ｒに供給されてアナログオーディオ信号にＤ／Ａ変換され、これら信号が、ローパスフィルタ１９Ｌ、１９Ｒおよび出力アンプ２１Ｌ、２１Ｒを通じて左および右チャンネルのヘッドホンジャック（出力コネクタ）２２Ｌ、２２Ｒに取り出される。そして、このジャック２２Ｌ、２２Ｒに取り出されたオーディオ信号が、２チャンネルステレオ用のヘッドホン９０の左および右チャンネルの音響ユニット（電気／音響変換ユニット）９０Ｌ、９０Ｒに供給され、音響出力とされる。
【００２４】
さらに、システム制御用としてマイクロコンピュータ３０が設けられる。そして、デジタルインターフェイス１４からこれに供給されたデジタルオーディオ信号が、上記(1)〜(3)項のうちのどの信号（コーディグモード）であるかなどを示す信号がマイクロコンピュータ３０に供給され、マイクロコンピュータ３０から入力セレクタ１５にその入力切り換え用の制御信号が供給される。
【００２５】
また、サラウンドデコーダ１６およびＤＳＰ１７とマイクロコンピュータ３０との間で、所定のデータあるいはコマンドがやりとりされ、デコーダ１６およびＤＳＰ１７の処理内容が指定されるとともに、その処理に関係する情報がマイクロコンピュータ３０に送られる。
【００２６】
さらに、マイクロコンピュータ３０には、図２により説明する各種のＬＥＤおよび操作スイッチが接続される。すなわち、図２は、このヘッドホンアンプの前面パネルの一例を示すもので、この前面パネルには、ヘッドホンジャック２２（２２Ｌ、２２Ｒ）が設けられるとともに、入力セレクトスイッチ４１、再生モードを切り換えるためのモードスイッチ４２、再生音場の臨場感を切り換えるためのエフェクトモードスイッチ４３が設けられる。なお、これらスイッチ４１〜４３は、タクトスイッチのようなノンロックタイプのプッシュスイッチとされる。
【００２７】
また、前面パネルには、入力セレクトスイッチ４１に対応してＬＥＤ（Ｄ11〜Ｄ13）が設けられるとともに、そのＬＥＤ（Ｄ11〜Ｄ13）の側に入力などを示す文字「Digital In」、「Analog In」、「Test Tone」が例えば刻印される。
【００２８】
さらに、前面パネルには、再生音場を示す方形の枠線５１が例えば刻印されるとともに、その中央に、リスナを頭上から見下ろしたときの形をデフォルメした図形５２が例えば刻印される。また、この図形５２から見て、その左前方、中央前方、右前方、左後方および右後方の位置に、ＬＥＤ（ＤLF、ＤCF、ＤRF、ＤLB、ＤRB）が設けられ、図形５２の左耳および右耳に対応する位置に、ＬＥＤ（ＤLH、ＤRH）が設けられる。
【００２９】
さらに、前面パネルには、５チャンネルステレオが、(2)、(3)項のどちらであるかを表示するためのＬＥＤ（Ｄ21、Ｄ22）が設けられるとともに、そのＬＥＤ（Ｄ21、Ｄ22）の側に信号モードを示す文字「Dolby Digital」（登録商標）、「ProLogic」（登録商標）が例えば刻印される。
【００３０】
また、前面パネルには、エフェクトモードスイッチ４３に対応してＬＥＤ（Ｄ31〜Ｄ33）が設けられるとともに、そのＬＥＤ（Ｄ31〜Ｄ33）の側に効果などを示す文字「Standard」、「Music」、「Movie」が例えば刻印される。
【００３１】
このような構成において、入力セレクトスイッチ４１を押すと、マイクロコンピュータ３０により、入力セレクタ１５の切り換え、サラウンドデコーダ１６の処理およびＬＥＤ（Ｄ11〜Ｄ13）の点灯が、スイッチ４１を押すごとに、次の(11)〜(13)の状態に順に繰り返し切り換えられていく。
【００３２】
(11) デジタル入力。入力セレクタ１５は、デジタルインターフェイス１４からのデジタルオーディオ信号を選択してデコーダ１６に供給する。ＬＥＤ（Ｄ11）だけが点灯する。  
(12) アナログ入力。入力セレクタ１５は、Ａ／Ｄコンバータ１２からのデジタルオーディオ信号を選択してデコーダ１６に供給する。ＬＥＤ（Ｄ12）だけが点灯する。  
(13) テストトーン。スイッチ４２、４３の切り換えにかかわらず、デコーダ１６において、テスト用のピンクノイズのデジタルオーディオデータが形成される。なお、このピンクノイズについては後述する。
【００３３】
また、サウンドモードスイッチ４２を押すと、マイクロコンピュータ３０により、デコーダ１６の処理およびＬＥＤ（ＤLF〜ＤRH、Ｄ21、Ｄ22）の点灯が、スイッチ４２を押すごとに、次の(21)〜(23)の状態に順に繰り返し切り換えられていく。
【００３４】
(21) サラウンド再生モード。ＤＳＰ１７において、上述した(A)、(B)項の処理が実行され、仮想スピーカを実現するデジタルオーディオデータＬV、ＲVが形成され、このデータＬV、ＲVがＤ／Ａコンバータ１８Ｌ、１８Ｒによりアナログオーディオ信号にＤ／Ａ変換されてヘッドホン９０の音響ユニット９０Ｌ、９０Ｒに供給される。  
したがって、この場合には、図３Ａの左側に示すように、リスナ１の左前方、中央前方、右前方、左後方および右後方に配置したスピーカ２LF、２CF、２RF、２LB、２RBによりサラウンド再生を行った場合と同等の再生音場を得ることができる。あるいは仮想音源２LF〜２RBによる再生音場が形成される。  
そして、このとき、マイクロコンピュータ３０によりＬＥＤ（ＤLF〜ＤRH）の点灯が制御され、図３Ａの右側に●印で示すように、ＬＥＤ（ＤLF〜ＤRB）が点灯し、このときの仮想音源２LF〜２RBの位置が表示されるとともに、サラウンド再生モードであることが表示される。  
また、この場合、入力されたデジタルオーディオ信号の種類にしたがって、ＬＥＤ（Ｄ21、Ｄ22）の一方が点灯され、上記(2)あるいは(3)項のステレオ再生であることが表示される。
【００３５】
(22) フロント再生モード。ＤＳＰ１７において、上述した(B)項の処理が実行され、仮想スピーカを実現するデジタルオーディオデータＬV、ＲVが形成され、このデータＬV、ＲVがＤ／Ａコンバータ１８Ｌ、１８Ｒによりアナログオーディオ信号にＤ／Ａ変換されてヘッドホン９０の音響ユニット９０Ｌ、９０Ｒに供給される。  
したがって、この場合には、図３Ｂの左側に示すように、リスナ１の左前方および右前方に配置したスピーカ２LF、２RFによりフロント再生を行った場合と同等の再生音場を得ることができる。あるいは仮想音源２LF、２RFによる再生音場が形成される。  
そして、このとき、マイクロコンピュータ３０によりＬＥＤ（ＤLF〜ＤRH）の点灯が制御され、図３Ｂの右側に●印で示すように、ＬＥＤ（ＤLF、ＤRF）が点灯し、このときの仮想音源２LF、２RFの位置が表示されるとともに、フロント再生モードであることが表示される。
【００３６】
(23) 通常の再生モード（処理なし）。ＤＳＰ１７においては、上述した(A)、(B)項の処理は実行さず、もとのデジタルオーディオデータがほぼそのままデータＬV、ＲVとして出力され、このデータＬV、ＲVがＤ／Ａコンバータ１８Ｌ、１８Ｒによりアナログオーディオ信号にＤ／Ａ変換されてヘッドホン９０の音響ユニット９０Ｌ、９０Ｒに供給される。  
したがって、この場合には、図３Ｃの左側に示すように、リスナ１が通常のヘッドホン３により再生を行ったことになる。あるいはヘッドホン３が音源となる。  
そして、このとき、マイクロコンピュータ３０によりＬＥＤ（ＤLF〜ＤRH）の点灯が制御され、図３Ｃの右側に●印で示すように、ＬＥＤ（ＤLH、ＤRH）が点灯し、音源３の位置が表示されるとともに、通常のヘッドホン再生であることが表示される。
【００３７】
さらに、エフェクトモードスイッチ４３を押すと、マイクロコンピュータ３０により、サラウンドデコーダ１６の処理およびＬＥＤ（Ｄ31〜Ｄ33）の点灯が、スイッチ４３を押すごとに、次の(31)〜(33)の状態に順に繰り返し切り換えられていく。
【００３８】
(31) 標準的な臨場感とされる。ＬＥＤ（Ｄ31）だけが点灯する。  
(32) 音楽に適した臨場感とされる。ＬＥＤ（Ｄ32）だけが点灯する。  
(33) 映画に適した臨場感とされる。ＬＥＤ（Ｄ33）だけが点灯する。
【００３９】
なお、入力セレクトスイッチ４１の操作により、(13)項のテストトーンを選択した場合には、上記のようにデコーダ１６において、テスト用のピンクノイズのデジタルオーディオデータが形成されるが、このピンクノイズのデジタルオーディオデータは、このデータからＤ／Ａ変換したアナログ信号をスピーカに供給したとき、リスナの左前方、中央前方、右前方、右後方および左後方のスピーカから、例えば１秒ごとに順番にピンクノイズが出力されていくように変化する信号とされる。
【００４０】
そして、このピンクノイズのデジタルオーディオデータがＤＳＰ１７に供給されて(A)、(B)項の処理によりサラウンド再生のデジタルオーディオデータとされ、このデジタルオーディオデータがＤ／Ａコンバータ１８Ｌ、１８Ｒに供給されてアナログオーディオ信号にＤ／Ａ変換され、この信号がローパスフィルタ１９Ｌ、１９Ｒおよびアンプ２１Ｌ、２１Ｒを通じてヘッドホン９０の音響ユニット９０Ｌ、９０Ｒに供給される。
【００４１】
したがって、リスナはピンクノイズを聴取することになるとともに、このとき、そのピンクノイズが、リスナの左前方、中央前方、右前方、右後方および左後方のスピーカから、１秒ごとに順番に切り換わって出力されているように知覚することになる。
【００４２】
また、このとき、ＬＥＤ（ＤLF〜ＤRB）の点灯が制御され、図４に●印で示すように、ＬＥＤ（ＤLF）→ＬＥＤ（ＤCF）→ＬＥＤ（ＤRF）→ＬＥＤ（ＤRB）→ＬＥＤ（ＤLB）の順番で１秒ごとに点灯させられる。
【００４３】
したがって、ピンクノイズの仮想音源がリスナの左前方、中央前方、右前方、右後方および左後方に順に移動していくとともに、そのとき、その仮想音源の位置がＬＥＤ（ＤLF〜ＤRB）により表示されることになる。
【００４４】
以上のようにして、上述のヘッドホンアンプによれば、ヘッドホン９０によりスピーカ再生の場合と同等のサラウンド再生およびフロント再生と、通常のヘッドホン再生とを実現することができるが、その場合、図３にも示すように、それぞれの再生モードにおける仮想音源の位置およびその再生モードがＬＥＤ（ＤLF〜ＤRH）の点灯により視覚的に表示されるので、聴感上の効果を視覚的にイメージすることができる。また、図２からもわかるように、デザイン面の向上を得ることができる。
【００４５】
さらに、テストトーンのときには、ピンクノイズが出力されている仮想的なスピーカの位置のＬＥＤが点灯するので、機器の状態をより明確に確認できる。また、仮想音像の位置に対応してＬＥＤ（ＤLF〜ＤRF）が順番に点灯していくので、機器のデモなどのとき、効果的である。
【００４６】
図５は、マイクロコンピュータ３０が、再生モードにしたがってＬＥＤ（ＤLF〜ＤRH）の点灯を(21)〜(23)項に示すように制御するためのルーチンの一例を示す。
【００４７】
すなわち、サウンドモードスイッチ４２が押されると、マイクロコンピュータ３０のＣＰＵ（図示せず）の処理が、ルーチン１００のステップ１０１からスタートし、次にステップ１０２において、このときの再生モードが(21)〜(23)項のどれであるかが判別される。そして、(21)項のとき、すなわち、サラウンド再生モードのときには、処理はステップ１０２からステップ１１１に進み、このステップ１１１において、ＬＥＤ（ＤLF〜ＤRB）が図３Ａの右側に●印で示すように点灯されて仮想音源の位置およびサラウンド再生モードであることが表示される。
【００４８】
続いて、処理はステップ１１２に進み、このステップ１１２において、デジタルインターフェイス１４からの信号によりデジタルオーディオ信号の種類が判別され、(2)項の５チャンネルのデジタルオーディオ信号のときには、処理はステップ１１２からステップ１１３に進み、このステップ１１３において、ＬＥＤ（Ｄ21）が点灯される。そして、その後、処理はステップ１４１に進み、このルーチン１００を終了する。
【００４９】
また、ステップ１１２において、デジタルオーディオ信号が(3)項の疑似５チャンネルのデジタルオーディオ信号のときには、処理はステップ１１２からステップ１１４に進み、このステップ１１４において、ＬＥＤ（Ｄ22）が点灯される。そして、その後、ステップ１４１によりルーチン１００を終了する。
【００５０】
さらに、ステップ１０２において、現在の再生モードが(22)項のとき、すなわち、フロント再生モードのときには、処理はステップ１０２からステップ１２１に進み、このステップ１２１において、ＬＥＤ（ＤLF、ＤRF）が図３Ｂの右側に●印で示すように点灯されて仮想音源の位置およびフロント再生モードであることが表示される。そして、その後、処理はステップ１４１に進み、このルーチン１００を終了する。
【００５１】
また、ステップ１０２において、現在の再生モードが(23)項のとき、すなわち、通常のヘッドホン再生のときには、処理はステップ１０２からステップ１３１に進み、このステップ１３１において、ＬＥＤ（ＤLH、ＤRH）が図３Ｃの右側に●印で示すように点灯されてヘッドホン再生のモードであることが表示される。そして、その後、処理はステップ１４１に進み、このルーチン１００を終了する。
【００５２】
こうして、このルーチン１００によれば、このルーチン１００が実行されたときの仮想音源の位置および再生モードをＬＥＤ（ＤLF〜ＤRH）の点灯により表示することができる。
【００５３】
なお、上述においては、ＬＥＤ（ＤLF〜ＤRH）の点灯により仮想音源の位置および再生モードを視覚的に表示したが、ＬＣＤに、枠線５１および図形５２を表示するとともに、仮想音源を示す図形を表示することもできる。
【００５４】
また、上述においては、ヘッドホンアンプ単体の場合であるが、例えば、パーソナルコンピュータの場合であって、プログラム処理により形成あるいは再現された３Ｄサウンドなどのデジタルオーディオデータの場合には、枠線５１および図形５２を例えばＣＲＴディスプレイに表示するとともに、仮想音源を示す図形もそのＣＲＴディスプレイに表示することができる。
【００５５】
さらに、ヘッドホンがＤ／Ａコンバータを内蔵していて、デジタルオーディオデータを供給すると、その内蔵のＤ／Ａコンバータによりデジタルオーディオデータをアナログオーディオ信号にＤ／Ａ変換し、そのアナログオーディオ信号を音響ユニットに供給するように構成されている場合には、ＤＳＰ１７からのデジタルオーディオデータを供給することもできる。
【００５６】
〔略語の一覧〕
Ａ／Ｄ    ：Analog to Digital
ＣＤ      ：Compact Disc
ＣＰＵ    ：Central Processing Unit
Ｄ／Ａ    ：Digital to Analog
ＤＳＰ    ：Digital Signal Processor
ＥＩＡＪ  ：Electronic Industry Association of Japan
ＬＥＤ    ：Light Emitting Diode
ＭＰＥＧ  ：Motion Picture Experts Group
ＭＰＥＧ２：MPEG Phase 2
【図面の簡単な説明】
【００５７】
【図１】この発明の一形態を示す系統図である。
【図２】この発明の一形態を示す正面図である。
【図３】この発明を説明するための図である。
【図４】この発明を説明するための図である。
【図５】この発明の一形態を示すフローチャートである。
【図６】この発明を説明するための正面図である。
【符号の説明】
【００５８】
１１Ｌおよび１１Ｒ…アナログ入力ジャック、１２…Ａ／Ｄコンバータ、１３…光コネクタ、１４…デジタルオーディオインターフェイス、１５…入力セレクタ、１６…サラウンドデコーダ、１７…ＤＳＰ、１８Ｌおよび１８Ｒ…Ｄ／Ａコンバータ、２２（２２Ｌ、２２Ｒ）…ヘッドホンジャック、３０…マイクロコンピュータ、４１…入力セレクトスイッチ、４２…サウンドモードスイッチ、４３…エフェクトモードスイッチ、５１…枠線、５２…図形、１００…表示制御ルーチン、Ｄ11〜Ｄ33およびＤLF〜ＤRH…ＬＥＤ
【図１】
2006333516.tif 000003
【図２】
2006333516.tif 000004
【図３】
2006333516.tif 000005
【図４】
2006333516.tif 000006
【図５】
2006333516.tif 000007
【図６】
2006333516.tif 000008